(57)【特許請求の範囲】
【請求項１】
肉薄のハウジングの一方の面に形成した凹部内に、第１電極と第２電極を一部露出して設けるとともに、導電性板ばねを収納し、前記ハウジングの外側面から前記第１電極と一体の第１端子部と、前記第２電極と一体の第２端子部を突設し、前記凹部を被覆したシートの上から導電性板ばねを押圧して前記第１電極と第２電極の間を電気的に接離するようにした押釦スイッチにおいて、前記ハウジングの上方から、このハウジングの前面を被覆する前板部と、後面を被覆する後板部と、上面を被覆する天板部とからなる断面コ字形の導電性の金属カバーを嵌合し、前記シート側に対向する前板部に、この前板部に設けた可撓性を有する支持アームを介して押圧部を一体に形成し、弾性を有するアース端子部を前記後板部から下向き斜めに一体に突設し、前記第１端子部と第２端子部は弾性を有しハウジングから下向き斜めに突設してなり、前記アース端子部、第１端子部及び第２端子部は、設置されるプリント回路基板等に対して弾性力を持って圧接することを特徴とする押釦スイッチ。
【請求項２】
前板部の一端部から複数周の螺旋状の溝部を切り欠いて、浅い椀状の導電性板ばねの頂部に位置した略円形の押圧部と、この押圧部の一部に連続する支持アーム部を形成したことを特徴とする請求項１記載の押釦スイッチ。
【請求項３】
前板部を切り欠いて、浅い椀状の導電性板ばねの頂部に位置した略円形の押圧部と、この押圧部に連続する少なくとも２個のＳ字形の支持アーム部を形成したことを特徴とする請求項１又は２記載の押釦スイッチ。
【請求項４】
導電性板ばねは、浅い椀状に形成し、シートには、導電性板ばねと対向する面に、導電性板ばねと接触する面を除いて接着剤層を塗布し、このシートを、ハウジングにおける凹部の外周囲のシート貼着面に接着したことを特徴とする請求項１乃至３記載の押釦スイッチ。
【請求項５】
導電性板ばねは、浅い椀状に形成し、この導電性板ばねの頂部にシートの中央の膨出部が当接するようにシートを被覆したことを特徴とする請求項１乃至４記載の押釦スイッチ。
【請求項６】
押圧部は、前板部の略中央部であって、導電性板ばねの頂部に位置して略円形に形成され、この押圧部の中央下面に膨出部を形成し、この膨出部を、導電性板ばねの頂部にシートを介して接するように構成したことを特徴とする請求項５記載の押釦スイッチ。
【発明の詳細な説明】
【技術分野】
【０００１】
本発明は、超小型で、薄く、確実にセンター押しが可能で、かつ、静電耐圧に優れた押釦スイッチに関するものである。
【背景技術】
【０００２】
携帯電話、ＰＤＡなどの側面に取り付けられる押釦スイッチは、超小型に構成される。
このような押釦スイッチは、図７に示すように、椀を反転したようなＭＴ板といわれる導電性板ばね１４を使用し、シート１５の上から導電性板ばね１４を直接指先で押圧してオン、オフするものである（特許文献１）。
さらに詳しくは、薄くて角型のハウジング１０に凹部１１を形成し、この凹部１１の内底に、センターの第１電極１２を露出して成型するとともに、この第１電極１２の外周にサイドの第２電極１３を露出して成型し、これら第１電極１２と第２電極１３の上に導電性板ばね１４を被せ、さらにその上からシート１５で保護してなるものである。そして、シート１５の上から指で押し込むと、導電性板ばね１４の中央部分がクリック感を持って凹み、第１電極１２と第２電極１３が短絡する。導電性板ばね１４の押し込みを解除すると、導電性板ばね１４は、復元して元の状態に戻る。
【０００３】
また、図８に示すように、導電性板ばね１４を、押釦２０を介在して押圧してオン、オフするものが知られている（特許文献２）。
この押釦スイッチ９は、絶縁性のプラスチックなどからなる基板１６、スペーサ１７、上蓋１８を重ね合わせ、金属カバー１９で外周を取り巻いて補強したもので、前記基板１６の内面には、第１電極１２と第２電極１３を取り付け、これらの第１電極１２と第２電極１３に臨ませた前記第２電極１３の内部に下向き椀型の導電性板ばね１４を配置し、押釦２０を前記上蓋１８の内側に進退自在に嵌合して前記導電性板ばね１４を押釦２０の突起部２１で押圧するようにしたものである。
【０００４】
この押釦スイッチ９をプリント回路基板２６に横置き状態に実装するには、プリント回路基板２６の切欠き２７に、前記基板１６、スペーサ１７、上蓋１８を重ね合わせた部分の下方部を遊嵌する。すると、前記切欠き２７の周縁付近に形成されたアース兼固定用ランド２５に前記金属カバー１９の前部両側と後部両側とが載せられ、また、前記切欠き２７の周縁付近に形成された電極用ランド２４に後面の端子部２２と端子部２３が載せられる。この状態で半田付けすることにより、押釦スイッチ９がプリント回路基板２６に固定的に取り付けられるとともに、電気的に接続される。
【特許文献１】特許第３２８６１４２号公報
【特許文献２】特開２００４―７９２２０号公報
【発明の開示】
【発明が解決しようとする課題】
【０００５】
図７（特許文献１）に示す押釦スイッチは、シート１５の上から導電性板ばね１４を直接指先で押圧するものであるから、超小型で、薄く形成することができる。
しかし、超小型で、薄型の押釦スイッチに使用されるＭＴ板といわれる導電性板ばね１４は、直径が３ｍｍ程度で指先よりもさらに小さいために、指で直接押圧してオン、オフする部分は、導電性板ばね１４の頂部の精々１ｍｍである。したがって、確実にセンター押しがなされているかどうかが認識できない、という問題もあった。また、静電防止の対策が採られていないために破壊や誤動作の恐れがあるという問題があった。
【０００６】
図８（特許文献２）に示す押釦スイッチは、金属カバー１９で側方を保持し、取付け用ランド２５に半田付けされるので、ある程度の静電防止の対策が採られ、また、導電性板ばね１４は、押釦２０によって押圧されるので、押釦２０の頭部を大きくすれば、センター押しが可能である。
しかし、押釦２０を組み込むために、図７の例に比較して厚さが３倍以上となり、小型の電子機器に搭載するのに難点があり、また、ハウジングを構成する基板１６，スペーサ１７，上蓋１８の他に、導電性板ばね１４を押圧する押釦２０を必要とし、組立工程が面倒である、などの問題があった。
【０００７】
本発明の第１の目的は、超小型で、薄く、確実にセンター押しが可能な押釦スイッチを提供することであり、第２の目的は、静電耐圧に優れ、さらに組立も簡便な押釦スイッチを提供することである。
【課題を解決するための手段】
【０００８】
本発明による押釦スイッチは、肉薄のハウジングの一方の面に形成した凹部内に、第１電極と第２電極を一部露出して設けるとともに、導電性板ばねを収納し、前記ハウジングの外側面から前記第１電極と一体の第１端子部と、前記第２電極と一体の第２端子部を突設し、前記凹部を被覆したシートの上から導電性板ばねを押圧して前記第１電極と第２電極の間を電気的に接離するようにした押釦スイッチにおいて、前記ハウジングの上方から、このハウジングの前面を被覆する前板部と、後面を被覆する後板部と、上面を被覆する天板部とからなる断面コ字形の導電性の金属カバーを嵌合し、前記シート側に対向する前板部に、この前板部に設けた可撓性を有する支持アームを介して押圧部を一体に形成し、前記後板部に下向き斜めにアース端子部を一体に突設し、前記第１端子部と第２端子部を、ハウジングから下向き斜めに突設したことを特徴とする。
【０００９】
また、前記導電性板ばねを押圧するために前板部に形成した押圧部は、前板部の一端部から複数周の螺旋状の溝部を切り欠いて、浅い椀状の導電性板ばねの頂部に位置した略円形の押圧部と、この押圧部の一部に連続する支持アーム部を形成したことを特徴とする。
【発明の効果】
【００１０】
請求項１記載の発明によれば、肉薄のハウジングの一方の面に形成した凹部内に、第１電極と第２電極を一部露出して設けるとともに、導電性板ばねを収納し、前記ハウジングの外側面から前記第１電極と一体の第１端子部と、前記第２電極と一体の第２端子部を突設し、前記凹部を被覆したシートの上から導電性板ばねを押圧して前記第１電極と第２電極の間を電気的に接離するようにした押釦スイッチにおいて、前記ハウジングの上方から、このハウジングの前面を被覆する前板部と、後面を被覆する後板部と、上面を被覆する天板部とからなる断面コ字形の導電性の金属カバーを嵌合し、前記シート側に対向する前板部に、この前板部に設けた可撓性を有する支持アームを介して押圧部を一体に形成し、弾性を有するアース端子部を前記後板部から下向き斜めに一体に突設し、前記第１端子部と第２端子部は弾性を有しハウジングから下向き斜めに突設してなり、前記アース端子部、第１端子部及び第２端子部は、設置されるプリント回路基板等に対して弾性力を持って圧接するようにしたので、押圧点が導電性板ばねの頂点から少しずれても確実に電極間の接離ができるとともに、良好なクリック感が得られる。
【００１１】
また、請求項１記載の発明によれば、前記発明の効果に加えて次のような効果を有する。
・十分な静電防止の対策が採られ、破壊や誤動作の恐れがない。
・導電性板ばねを収納した凹部を被覆するシートを精度よく貼着する必要がないので、組立の手間がかからない。
・ハウジングの上方から、このハウジングの前面を被覆する前板部と、後面を被覆する後板部と、上面を被覆する天板部とからなる断面コ字形の導電性の金属カバーを嵌合し組み込む作業が簡単である。
・後板部に下向き斜めにアース端子部を一体に突設し、第１端子部と第２端子部を、ハウジングから下向き斜めに突設したので、本発明の押釦スイッチをプリント基板等に上から押し付けて接続するだけであり、組み込み作業が容易になる。
【００１２】
請求項２記載の発明によれば、前板部の一端部から複数周の螺旋状の溝部を切り欠いて、浅い椀状の導電性板ばねの頂部に位置した略円形の押圧部と、この押圧部の一部に連続する支持アーム部を形成したので、押圧部の押圧位置がずれても、指圧部が傾かずに水平に押下げられ、確実に電極間の接離ができる。
【００１３】
請求項３記載の発明によれば、前板部を切り欠いて、浅い椀状の導電性板ばねの頂部に位置した略円形の押圧部と、この押圧部に連続する少なくとも２個のＳ字形の支持アーム部を形成したので、押圧部の押圧位置がずれても、指圧部が傾かずに水平に押下げられ、確実に電極間の接離ができる。
【００１５】
請求項４記載の発明によれば、導電性板ばねは、浅い椀状に形成し、シートには、導電性板ばねと対向する面に、導電性板ばねと接触する面を除いて接着剤層を塗布し、このシートを、ハウジングにおける凹部の外周囲のシート貼着面に接着したので、導電性板ばねのクリック感をシートによって損なうことがない。
【００１６】
請求項５記載の発明によれば、導電性板ばねは、浅い椀状に形成し、この導電性板ばねの頂部にシートの中央の膨出部が当接するようにシートを被覆したので、導電性板ばねのストロークが大きくなり、かつ、シートが周囲を接着剤層でシート貼着面に接着されていても、導電性板ばねを押し込んだときにシートが抵抗なく弛み、クリック感が良くなる。
【００１７】
請求項６記載の発明によれば、押圧部は、前板部の略中央部であって、導電性板ばねの頂部に位置して略円形に形成され、この押圧部の中央下面に膨出部を形成し、この膨出部を、シートの頂部にシートを介して接するように構成したので、押圧部を押下げる位置がずれても確実に導電性板ばねのオン、オフをすることができる。
【発明を実施するための最良の形態】
【００１８】
本発明の押釦スイッチは、
肉薄のハウジング３０の一方の面に形成した凹部３６内に、センターの第１電極３１とサイドの第２電極３２を一部露出して設けるとともに、導電性板ばね３３を収納し、前記ハウジング３０の外側面から前記第１電極３１に一体の第１端子部４２と、前記第２電極３２に一体の第２端子部４３を突設し、前記凹部３６を被覆したシート３４の上から導電性板ばね３３を押圧して前記第１電極３１と第２電極３２の間を電気的に接離するようにした押釦スイッチにおいて、
前記ハウジング３０の上方から、このハウジングの前面を被覆する前板部と、後面を被覆する後板部と、上面を被覆する天板部とからなる断面コ字形の導電性の金属カバー３５を嵌合し、前記シート３４側に対向する前板部４５に押圧部４８を一体に形成し、前記後板部４６に下向き斜めにアース端子部５３を一体に突設し、前記第１端子部４２と第２端子部４３を、ハウジング３０から下向き斜めに突設してなるものである。
【００１９】
本発明の第１の目的である確実にセンター押しが可能なものを提供するためには、カバー３５は、必ずしも導電性の金属である必要はなく、プラスチックなどの絶縁物であってもよい。
本発明の第２の目的である静電耐圧に優れたものを提供するためには、カバー３５は、導電性であることが必要で、そのためには、導電性金属からなるもの、導電性を持たせるためにプラスチックなどの絶縁物に導電性金属を蒸着などにより被覆させたものなどが用いられる。
【００２０】
押圧部４８の一例として、前板部４５の一端部から複数周の螺旋状の溝部４９を切り欠いて、導電性板ばね３３の頂部に位置した略円形の押圧部４８と、この押圧部４８の一部に連続し、可撓性を有する支持アーム部５０を形成する。
【００２１】
押圧部４８のさらに他の例として、前板部４５を切り欠いて、導電性板ばね３３の頂部に位置した略円形の押圧部４８と、この押圧部４８に連続する少なくとも２個のＳ字形の可撓性を有する支持アーム部５０を形成する。
【００２２】
押圧部４８の他の例として、カバー３５がプラスチックなどの絶縁物である場合において、前板部４５の溝部４９の部分を切り欠くことなく、肉薄に形成して、導電性板ばね３３の頂部に位置した略円形の押圧部４８と、この押圧部４８に連続する螺旋状の又は少なくとも２個の可撓性を有するＳ字形の支持アーム部５０を形成するようにしてもよい。
【００２３】
導電性板ばね３３は、浅い椀状に形成し、シート３４の導電性板ばね３３と対向する面に、導電性板ばね３３と接触する面を除いて接着剤層４４を塗布し、このシート３４を、ハウジング３０における凹部３６の外周囲のシート貼着面３７に接着する。
【００２４】
さらに、導電性板ばね３３は、浅い椀状に形成し、この導電性板ばね３３の頂部にシート３４の中央の膨出部６８が当接するようにシート３４を被覆する。
なお、このシート３４は、必須の部品ではない。
【実施例１】
【００２５】
本発明の実施例１を図１ないし図５に基づき説明する。
本発明の押釦スイッチは、センターの第１電極３１とサイドの第２電極３２を一体に埋設したハウジング３０と、このハウジング３０に嵌め込まれる導電性板ばね３３と、この導電性板ばね３３を保護するシート３４と、前記ハウジング３０に被せる導電性の金属カバー３５とからなる。図４は、本発明の押釦スイッチを各部品に分解して一方の側面から見た斜視図であり、同様に、図５は、他方の側面から見た分解斜視図である。
【００２６】
前記第１電極３１は、図４に示すように、中央の円形板部６３に接点部５９が膨出し、前記円形板部６３の外周の一部を側方に延ばして、その先をコ字形部６０とし、さらにこのコ字形部６０の下端部を延ばして第１端子部４２となるようにフ字形に屈曲してなるものである。
また、前記第２電極３２は、図４に示すように、前記第１電極３１の外周に間隙を持って配置されるＣ字形部６１をなし、このＣ字形部６１の一側面に略１２０度間隔で３個の接点部５８が膨出し、Ｃ字形部６０の外周の一部を側方に延ばして、その先を横向きＬ字形部６２とし、さらにこのＬ字形部６２の下端部を延ばして第２端子部４３となるようにフ字形に屈曲してなるものである。
【００２７】
前記ハウジング３０は、絶縁性プラスチック等による成型加工時に図４に示す第１電極３１と第２電極３２を部分的に埋設部分と露出部分があるように、一体に形成したもので、縦×横×厚さが例えば、４．５×８．０×０．９ｍｍのように、超小型に形成される。このハウジング３０には、一側面に凹部３６が形成されるとともに、この凹部３６より外側にシート貼着面３７が形成され、また、図４に示す一側面に係止突起３９が形成され、図５に示す他側面に係止突起４０が形成され、それぞれの係止突起３９、４０が前記導電性の金属カバー３５と係止する。さらに、このハウジング３０の両側部には、側方突部４１、４１が形成されている。
そして、前記凹部３６に前記第１電極３１の円形板部６３と第２電極３２のＣ字形部６１が露出し、前記第１電極３１のコ字形部６０の上方への突起部６４と前記第２電極３２のＬ字形部６２の上方への突起部６５とをハウジング３０の上面から一部突出させ、さらに、前記第１端子部４２と第２端子部４３が側方突部４１、４１の下面から突出してなるものである。
【００２８】
前記ハウジング３０の凹部３６には、ＭＴ板といわれる浅い椀形の導電性板ばね３３を、その外周縁部分が前記３個の接点部５８に接触するように嵌合され、この導電性板ばね３３を被覆するように上からさらに防塵のためのシート３４を被せて、このシート３４の一方の面に塗布した接着剤層４４でハウジング３０のシート貼着面３７に接着固定する。このとき、接着剤層４４は、導電性板ばね３３の頂点部分で接着しないことにより、オン、オフが円滑になるように中央には塗布しない。また、接着剤層４４は、シート３４の外周部分にもやや隙間を持って塗布することにより、一枚の大きなシート３４に多数個を打ち抜き形成するとき、隣接するシート３４が互いに接着剤が付着しないで確実に分離できるようにしてある。
【００２９】
前記導電性の金属カバー３５は、ハウジング３０の上から嵌合するように、このハウジングの前面を被覆する前板部と、後面を被覆する後板部と、上面を被覆する天板部とが下向きコ字形に折曲されている。前記前板部４５には、中央部に円形の押圧部４８が形成されている。この押圧部４８は、一端部から螺旋状に約２周する溝部４９を形成すると、押圧部４８に連続し、かつ、その周りを約１周する支持アーム部５０が形成される。
なお、螺旋状の支持アーム部５０に限られるものではなく、Ｓ字形の支持アーム部を押圧部４８の外周から２個を１８０度間隔で、３個を１２０度間隔で、又は、４個を９０度間隔で延長して形成してもよい。要するに、押圧部４８を指先で押したときに押圧箇所が中心からずれても傾かずに全体が略平らな状態で押し込まれるように構成する。
前記前板部４５の両側縁部には、前記ハウジング３０の両側縁の係止突起３９に係止する係止段部５１が形成されている。また、前記後板部４６には、図５に示すように、途中から外方に略直角に屈曲し、さらに下方に屈曲したアース端子部５３が形成され、また、後板部４６の上端部近くの両側位置に前記ハウジング３０の係止突起４０に係止する係止孔５２が形成されている。
【００３０】
以上のように構成された各部品の組み立てについて説明すると、第１電極３１と第２電極３２を一体に成型加工したハウジング３０の凹部３６に、導電性板ばね３３を嵌合し、かつ、シート貼着面３７にシート３４を接着剤層４４により貼着する。このハウジング３０に導電性板ばね３３，シート３４を取り付けた後、ハウジング３０の上方から導電性の金属カバー３５を嵌め込む。すると、導電性の金属カバー３５の押圧部４８が導電性板ばね３３の膨出頂点に位置した状態で、導電性の金属カバー３５の係止段部５１がハウジング３０の係止突起３９に係止すると共に、導電性の金属カバー３５の係止孔５２がハウジング３０の係止突起４０に係止して図１に示すように組立が完了する。
【００３１】
組み立てられた押釦スイッチは、図２に示すように、プリント回路基板５４の切り欠き５５に、ハウジング３０の段部６７がプリント回路基板５４の上面に接触するまで底部突起部６６を嵌合し、ハウジング３０の側面に設けた係止突起（図示せず）を、プリント回路基板５４の切り欠き５５等に係止固定する。すると、第１端子部４２，第２端子部４３，アース端子部５３がそれぞれの弾力性を持って、プリント回路基板５４の接続ランド５６，５６とアースランド５７にそれぞれ圧接する。これらの圧接箇所を、半田によって、電気的に接続するようにしてもよい。
【００３２】
押釦スイッチをプリント回路基板５４に取り付けた図３の状態において、図１に斜線で示した押圧部４８を押圧すると、押圧箇所に中心から若干のずれが生じても支持アーム部５０が押圧部４８の回りを約１周しているので、押圧部４８は、ハウジング３０の一側面と略平衡を保ったままシート３４を介して導電性板ばね３３を押し込み、この導電性板ばね３３の中央部分が凹むことにより、第１電極３１と第２電極３２が短絡されてオンする。導電性板ばね３３の押圧力を除くと、導電性板ばね３３は、自動的に反転してもとの状態に戻り、オフする。
導電性の金属カバー３５のいずれかの箇所に指先が触れて静電気が発生したときは、アース端子部５３を介してアースランド５７に電流が流れて押釦スイッチの内部や他の素子への悪影響を防止する。
【実施例２】
【００３３】
前記実施例１では、図６の鎖線で示すように、シート３４が略水平な状態で、シート３４の内面（図６のｂ点）に導電性板ばね３３の頂点が接するように構成したので、導電性板ばね３３のストロークｂ-ｃ間が小さくなり、かつ、シート３４が周囲を接着剤層４４でシート貼着面３７に接着されていることにより、導電性板ばね３３を押し込んだときにシート３４が弛むのを妨害し、クリック感が鈍くなる。
そこで、図６の実線で示すように、シート３４が上方に少し膨らんだ状態で、シート３４の内面（図６のａ点）に導電性板ばね３３の頂点が接するように構成することで、ストロークａ-ｃ間が大きくなり、かつ、シート３４が周囲を接着剤層４４でシート貼着面３７に接着されていても、導電性板ばね３３を押し込んだときにシート３４が抵抗なく弛み、クリック感が良くなる。
なお、押圧部４８の中央下面に膨出部６８を形成し、この膨出部６８を、シート３４の頂部にシート３４を介して正確に接するように構成することで、押圧部４８を押下げる指先の位置がずれても確実に導電性板ばね３３のオン、オフをすることができる。
【００３４】
前記実施例では、カバー３５は、導電性の金属で構成したが、これに限られるものではなく、本発明の第１の目的である確実にセンター押しが可能なものを提供するためには、カバー３５は、プラスチックなどの絶縁物であってもよい。
また、本発明の第２の目的である静電耐圧に優れたものを提供するためには、カバー３５は、導電性であることが必要で、そのためには、前記実施例のように、導電性金属からなるものの他に、プラスチックなどの絶縁物に導電性を持たせるために導電性金属を蒸着などにより被覆させたものなどであってもよい。
【００３５】
前記実施例では、押圧部４８の一例として、前板部４５の一端部から複数周の螺旋状の溝部４９を切り欠いて、導電性板ばね３３の頂部に位置した略円形の押圧部４８と、この押圧部４８の一部に連続する支持アーム部５０を形成した。
【００３６】
また、押圧部４８のさらに他の例として、前板部４５を切り欠いて、導電性板ばね３３の頂部に位置した略円形の押圧部４８と、この押圧部４８に連続する少なくとも２個のＳ字形の可撓性を有する支持アーム部５０を形成した。
【００３７】
しかし、これに限られるものではなく、押圧部４８の他の例として、カバー３５がプラスチックなどの絶縁物である場合において、前板部４５の溝部４９の部分を切り欠くことなく、肉薄に形成して、導電性板ばね３３の頂部に位置した略円形の押圧部４８と、この押圧部４８に連続する螺旋状の又は少なくとも２個のＳ字形の可撓性を有する支持アーム部５０を形成し、押圧部４８が容易に撓むようにしてもよい。この場合には、押圧部４８が導電性板ばね３３と接触しても問題なく、かつ、外部からの塵埃の侵入を防止できるので、シート１５を省略することができる。
【図面の簡単な説明】
【００３８】
【図１】本発明による押釦スイッチの実施例１を示す正面図である。
【図２】図１の背面図である。
【図３】図１におけるＡ−Ａ線断面図である。
【図４】本発明による押釦スイッチの実施例１を示す正面側から見た分解斜視図である。
【図５】図４の背面側から見た分解斜視図である。
【図６】本発明による押釦スイッチの実施例２を示すもので、横の寸法に対し縦の寸法を拡大して示した断面図である。
【図７】従来の押釦スイッチの一例を示す断面図である。
【図８】従来の押釦スイッチの他の例を示す断面図である。
【符号の説明】
【００３９】
１０…ハウジング、１１…凹部、１２…第１電極、１３…第２電極、１４…導電性板ばね、１５…シート、１６…基板、１７…スペーサ、１８…上蓋、１９…金属カバー、２０…押釦、２１…凸部、２２…端子部、２３…端子部、２４…電極用ランド、２５…取付け用ランド、２６…プリント回路基板、２７…切り欠き、３０…ハウジング、３１…第１電極、３２…第２電極、３３…導電性板ばね、３４…シート、３５…導電性の金属カバー、３６…凹部、３７…シート貼着面、３８…段差、３９…係止突起、４０…係止突起、４１…側方突部、４２…第１端子部、４３…第２端子部、４４…接着剤層、４５…前板部、４６…後板部、４７…天板部、４８…押圧部、４９…溝部、５０…支持アーム部、５１…係止段部、５２…係止孔、５３…アース端子部、５４…プリント回路基板、５５…切り欠き、５６…接続ランド、５７…アースランド、５８…接点部、５９…接点部、６０…コ字形部、６１…Ｃ字形部、６２…Ｌ字形部、６３…円形板部、６４…突起部、６５…突起部、６６…底部突起部、６７…段部、６８…膨出部。
【図１】
0005069509.tif 000002
【図２】
0005069509.tif 000003
【図３】
0005069509.tif 000004
【図４】
0005069509.tif 000005
【図５】
0005069509.tif 000006
【図６】
0005069509.tif 000007
【図７】
0005069509.tif 000008
【図８】
0005069509.tif 000009